(57)【要約】【課題】  梱包箱内に仕切りを設け、外部からの衝撃による収容物の破損を防止する梱包箱を提供することを目的とする。【解決手段】  箱本体１００に、井型に組まれる仕切部材２００を備えるようにする。この仕切部材２００は、溝Ａ，Ｂ，Ｃを有する長手方向仕切部材２０１，２０２と、溝Ｄ，Ｅを有する幅方向仕切部材２０３，２０４とから構成され、それぞれを、嵌挿させることで井型に組み、これを梱包箱１００内に配置する。その際、長手方向仕切部材２０１，２０２折り曲げ片２０１ｃ，２０２ｃが箱本体１００の開口部より突出するように構成する。【選択図】  図１
2008050023.tif 000002
【特許請求の範囲】
【請求項１】
蓋体を有する箱体と、該箱体に配置され該箱体内に収容される収容物を該箱体に対して仕切る仕切部材とからなる梱包箱において、
前記仕切部材は、スリット状の溝を有する第１の仕切部材と、該第１の仕切部材のスリット状の溝に嵌挿されるスリット状の溝と折り曲げ片とを有する第２の仕切部材と、から構成され、
前記第１の仕切部材のスリット状の溝に第２の仕切部材のスリット状の溝を嵌挿して前記箱体内に配置したとき、前記第２の仕切部材の折り曲げ片が該箱体の開口部より突出するように構成されていることを特徴とする梱包箱。
【請求項２】
前記第１の仕切部材には、一方の辺に形成された一対の溝と異なる間隔の一対の溝が他方の辺に形成されていることを特徴とする請求項１に記載の梱包箱。
【請求項３】
前記第２の仕切部材には、一方の辺に形成された一対の溝と異なる間隔の溝が他方の辺に複数対形成されていることを特徴とする請求項１または２に記載の梱包箱。
【請求項４】
前記折り曲げ片は、前記箱体の蓋体による閉蓋によって、前記箱体内部へ折り曲げられ、所定の角度で前記収容物を狭持することを特徴とする請求項１から３のいずれか１項に記載の梱包箱。
【発明の詳細な説明】
【技術分野】
【０００１】
本発明は、運搬中の衝撃から収容物の破損を防止する仕切部材及びそれを有する梱包箱に関する。
【背景技術】
【０００２】
従来、電子機器等の梱包は収容物の上面または側面に発砲スチロールや新聞紙等の緩衝材が宛がわれることにより、外部からの衝撃から収容物品を保護し、収容物品の破損を防止していた。
【０００３】
しかし、収容物に発砲スチロールや新聞紙等といった緩衝材を宛がうという作業は、時間と手間を要し、作業効率を低下させる原因となる。また、収容物品の梱包する量や収容物品の形状に合わせた発砲スチロールの形状を作成する必要があり、コストの増加につながるといった問題がある。
【０００４】
上記問題を解決する一例として、特許文献１に開示されている梱包箱がある。この梱包箱は、梱包箱内に箱体と収容物の仕切部材と、この仕切部材の切り込みに嵌合係止する略コの字状の底面仕切りとを有する。この仕切部材が有する折り曲げ片を箱体と収容物との隙間に折り曲げて配置して収容物の衝撃部材としている。
【特許文献１】特開平９−３１５４２３号公報
【発明の開示】
【発明が解決しようとする課題】
【０００５】
しかしながら、特許文献１で開示されている梱包箱は、収容する収容物の大きさや形状に合わせて仕切部材を作成しなければならないという問題があった。さらに、底面仕切りに載置することができる収容物の大きさには限りがあり、換言すると、特定の形状、大きさの収容物だけにしか使用できない。また、底面仕切りより小さい収容物を収容することができないという問題があった。
【０００６】
本発明は、係る問題に鑑みてなされたものであり、梱包箱内に仕切りを設け、外部からの衝撃による収容物の破損を防止する梱包箱を提供することを目的とする。
【課題を解決するための手段】
【０００７】
本発明は、上記目的を達成するために、蓋体を有する箱体と、該箱体に配置され該箱体内に収容される収容物を該箱体に対して仕切る仕切部材とからなる梱包箱において、前記仕切部材は、スリット状の溝を有する第１の仕切部材と、該第１の仕切部材のスリット状の溝に嵌挿されるスリット状の溝と折り曲げ片とを有する第２の仕切部材と、から構成され、前記第１の仕切部材のスリット状の溝に第２の仕切部材のスリット状の溝を嵌挿して前記箱体内に配置したとき、前記第２の仕切部材の折り曲げ片が該箱体の開口部より突出するように構成されていることを特徴とする梱包箱を提供するものである。
【０００８】
以上の構成において、前記第１の仕切部材には、一方の辺に形成された一対の溝と異なる間隔の一対の溝が他方の辺に形成されていることが望ましく、前記第２の仕切部材には、一方の辺に形成された一対の溝と異なる間隔の溝が他方の辺に複数対形成されていることが望ましい。
【０００９】
前記折り曲げ片は、前記箱体の蓋体による閉蓋によって、前記箱体内部へ折り曲げられ、所定の角度で前記収容物を狭持することが望ましい。
【発明の効果】
【００１０】
本発明によれば、仕切部材が収容物を梱包箱内で挟持することで、収容物が梱包箱内で仕切部材に衝突することを防止し、収容物の破損を防ぐことができる。
【発明を実施するための最良の形態】
【００１１】
次に、図面を参照して、本実施形態に係る梱包箱について説明する。
図１は、梱包箱の分解斜視図である。
図１に示すように、この梱包箱は、段ボール等の部材からなる箱本体１００と、この箱本体１００内に配置される仕切部材２００とから構成されている。
この仕切部材２００は、所定厚さを有する紙製の部材からなるものであり、長手方向に配置される長手方向仕切部材２０１，２０２と、幅方向に配置される幅方向仕切部材２０３，２０４とから構成される。なお、これらの仕切部材２０１〜２０４には、所定深さの溝Ａ,Ｂ,Ｃ,Ｄ,Ｅが形成されている。そして、それぞれに形成された溝同士を嵌挿させることにより井型に組まれ、井型に組まれた仕切部材２００が箱本体１００内に配置される。そして、この井型に組まれた仕切部材２００によって仕切られた空間に収容物が収容される。
【００１２】
図２は、仕切部材２００の形状を具体的に示す図であり、図２（ａ）は長手方向仕切部材２０１，２０２の形状を示す図、図２（ｂ）は幅方向仕切部材２０３，２０４の形状を示す図である。なお、長手方向仕切部材２０１と２０２、および、幅方向仕切部材２０３と２０４、は形状・構成が全く同じであるため、以下、理解を容易にするために、いずれか一方のものを例にとって説明することとする。
【００１３】
まず、長手方向仕切部材２０１（２０２）について説明する。
図２（ａ）に示すように、この長手方向仕切部材２０１（２０２）は、箱本体１００の奥行きの長さに見合うように横長に形成されており、その横方向の両端部の下方側にはスリット状の溝Ａ，Ｂが形成され、上方側にはスリット状の溝Ｃがそれぞれ形成されている。溝Ａ，Ｂは、幅方向の下から上に向かって略中間部まで形成され、溝Ｃは、幅方向の上から下に向かって略中間部まで形成されている。
【００１４】
なお、溝Ｃは、溝Ａと溝Ｂとの中間の位置に形成されている。溝Ａ，Ｂ，Ｃを幅方向の上下に形成し、溝Ｃを溝Ａと溝Ｂとの中間の位置に形成したのは、後述するように、箱本体１００内に収納される物品のサイズに対応して、幅方向仕切部材２０３（２０４）の幅方向に形成された溝Ｄ,Ｅととともに、仕切部材２００の大きさを変更できるようにするためである。
【００１５】
また、溝Ｂの略中間の位置には折り曲げ用の折り目２０１ｃ（２０２ｃ）が設けられており、また、溝Ｃの略中間の位置には折り曲げ用の折り目２０１ｄ（２０２ｄ）が設けられている。この折り目２０１ｃ（２０２ｃ）および２０１ｄ（２０２ｄ）の折り曲げにより、折り曲げ片２０１ａ（２０２ａ）と折り曲げ片２０１ｂ（２０２ｂ）が構成され、梱包箱１００内に向かって折り曲げられる。
【００１６】
次に、幅方向仕切部材２０３（２０４）について説明する。
図２（ｂ）に示すように、この幅方向仕切部材２０３（２０４）は、箱本体１００の幅に見合うように横長に形成されており、その横方向の両端部の下方側にはスリット状の溝Ｄが形成され、上方側にはスリット状の溝Ｅがそれぞれ形成されている。
【００１７】
溝Ｄは幅方向の下から上に向かって略中間部まで形成され、溝Ｅは、幅方向の上から下に向かって略中間部まで形成されている。また、溝Ｅは、溝Ｄよりも内側に設けられる。このように、溝Ｅは、溝Ｄよりも内側に設けるようにしたのは、長手方向仕切部材２０１（２０２）の幅方向に形成された溝Ａ，Ｂ，Ｃととともに、仕切部材２００の大きさを変更できるようにするためである。
【００１８】
なお、溝Ｅは、図に示すように、略中央部の位置から頂片に向かって斜め上方向にカットされている。この溝Ｅに嵌挿される長手方向仕切部材２０１（２０２）の溝Ａまたは溝Ｂの嵌挿を容易にするためである。
【００１９】
以下、図１および図２を参照しながら、長手方向仕切部材２０１，２０２と、幅方向仕切部材２０３，２０４の組み立てについて説明する。
図１に示すように、長手方向仕切部材２０１，２０２の溝Ａもしくは溝Ｂを幅方向仕切部材２０３，２０４の溝Ｅへ嵌挿する。これにより、長手方向仕切部材２０１，２０２と幅方向仕切部材２０３，２０４が井型に組まれて、仕切部材２００を構成する。溝Ｅに溝Ａもしくは溝Ｂのどちらを嵌挿するかは、仕切部材２００によって仕切られる空間に収容する収容物の大きさや個数によって適宜選択可能である。
【００２０】
なお、この長手方向仕切部材２０１，２０２と幅方向仕切部材２０３，２０４が井型に組まれた際、幅方向仕切部材２０３，２０４の頂片と長手方向仕切部材２０１，２０２の溝Ｃから両端部に向けて段差のある部分の頂片が同じ高さとなり、長手方向仕切部材２０１，２０２の折り曲げ片２０１ａ，２０２ａの頂片は、これらより突出した状態となる。換言すると、長手方向仕切部材２０１，２０２を幅方向仕切部材２０３，２０４へ嵌挿した際に、長手方向仕切部材２０１，２０２の折り曲げ片２０１ａ，２０２ａ以外は、幅方向仕切部材２０３，２０４と高さが同じになる。なお、このとき、長手方向仕切部材２０１，２０２の折り目２０１ｃ，２０２ｃは、幅方向仕切部材２０３，２０４の溝Ｅの斜め上方向にカットされている部分のカット起点に位置することになる。
【００２１】
以上の例では、幅方向仕切部材２０３，２０４の溝Ｅへ長手方向仕切部材２０１，２０２の溝Ａもしくは溝Ｂを嵌挿する例を示したが、仕切部材２００によって仕切られる空間に収容する収容物の大きさや個数によっては、幅方向仕切部材２０３，２０４の天地を逆にし、また、長手方向仕切部材２０３，２０４の天地を逆にして、幅方向仕切部材２０３，２０４の溝Ｄに長手方向仕切部材２０３，２０４の溝Ｃを嵌挿するようにしてもよい。このため、長手方向仕切部材２０３，２０４と幅方向仕切部材２０３，２０４によって構成する仕切部材２００によって仕切られる空間のサイズの組み合わせは４通りとなる（溝Ｅ・溝Ｅ−溝Ａ・溝Ａ、溝Ｅ・溝Ｅ−溝Ｂ・溝Ｂ、溝Ｅ・溝Ｅ−溝Ａ・溝Ｂ、溝Ｄ・溝Ｄ−溝Ｃ・溝Ｃ）。
【００２２】
この状態で、仕切部材２００を箱本体１００内に設置すると、長手方向仕切部材２０１，２０２が有する折り曲げ片２０１ａ，２０２ａの頂片は箱本体１００の開口部（箱本体１００の蓋の折り目部分）よりも突出する。また、幅方向仕切部材２０３，２０４の頂片は、箱本体１００の開口部よりもやや低い状態に位置する。
【００２３】
図３は、この組み立てられた仕切部材２００を箱本体１００内に配置し収容物を収容する状態を示す図である。また、図４は、この仕切部材２００によって仕切られた空間に収容物が収容された状態を平面視であらわした図である。
図３および図４に示すように、仕切部材２００によって仕切られた空間に収容物が収容される。なお、前述したように、この仕切部材２００によって仕切られる空間は、収容する収容物の大きさや個数により長手方向仕切部材２０１，２０２と幅方向仕切部材２０３，２０４の溝Ａ〜Ｃと溝Ｄ〜Ｅとの嵌挿の組み合わせを適宜変更することが可能である。
【００２４】
図５は、図４に示すＡ−Ａ’線断面図である。
図に示すように、仕切部材２００によって仕切られた空間に複数の収容物３００が収容される。図中、点線であらわしたものは開蓋時の状態を示し、実線で表したものは閉蓋時の状態を示す。開蓋時、長手方向仕切部材２０１，２０２の折り曲げ片２０１ａ，２０２ａは箱本体１００の開口部から突出しているが、箱本体１００の蓋が閉じられるにしたがって、蓋に接触しながら折り目２０１ｃ，２０２ｃに沿って箱本体１００の内部に向かって折り曲げられる。
【００２５】
箱本体１００の蓋が閉じられ、折り曲げ片２０１ａ，２０２ａが折り目２０１ｃ，２０２ｃに沿って折り曲げられると、最上部の収容物３００の一角は、折り曲げられた折り曲げ片２０１ａ，２０２ａによって左右から挟持され、仕切部材２００が形成する空間内で固定される。このように、収容物３００が折り曲げ片２０１ａ，２０２ａによって左右から挟持され固定されるので、箱本体１００の搬送に伴う振動に基づく収容物１００同士の衝突が防止され、収容物１００の破損を防ぐことができる。
【図面の簡単な説明】
【００２６】
【図１】本実施形態に係る梱包箱の構成を示した分解斜視図である。
【図２】仕切部材の形状を具体的に示す図であり、図２（ａ）は長手方向仕切部材の形状を示す図、図２（ｂ）は幅方向仕切部材の形状を示す図である。
【図３】組み立てられた仕切部材を箱本体内に配置し収容物を収容する状態を示す図である。
【図４】仕切部材によって仕切られた空間に収容物が収容された状態を平面視であらわした図である。
【図５】図４のＡ−Ａ’線断面図である。
【符号の説明】
【００２７】
１００    箱本体
２００    仕切部材
２０１、２０２    長手方向仕切部材
２０３、２０４    幅方向仕切部材
２０１ａ、２０１ｂ、２０２ａ、２０２ｂ    折り曲げ片
２０１ｃ、２０１ｄ、２０２ｃ、２０２ｄ    折り目
Ａ〜Ｅ    溝
【図１】
2008050023.tif 000003
【図２】
2008050023.tif 000004
【図３】
2008050023.tif 000005
【図４】
2008050023.tif 000006
【図５】
2008050023.tif 000007